(57)【要約】      （修正有）【課題】快速的に且つ安定的に組み立てられ、独自の図柄を塗装でき、有効に、退色を防止でき、車両の側辺の装飾や警告効果が向上され、走行安全性が向上できる輪軸カバー固定構造を提供する。【解決手段】正面に凹面と貫通穴が設けられ、凹面の裏面に、若干のスタッド１３が設置され、凹面上に、飾りシート１４と透明カバー１５がある軸カバー本体１と、軸カバー本体内の一側に螺着される重りブロック２と、軸カバー本体内に設けられ、マイクロ電気オルガン３１と連接板３２及び回路板３３が備えられ、連接板３２と回路板３３が連接され、軸カバー本体１に肯定され、また、回路板上に、少なくとも一つの発光ダイオード３３２が設置される発光装置３と、発光装置３に連結され、上に発光装置のマイクロ電気オルガンを収納するための収納槽４１が設けられ、裏面に、若干の係止突出４２が設けられ、係止突出の内壁にコイルが係止される底座４と、が備えられる。【選択図】図１
0003142848.tif 000002
【実用新案登録請求の範囲】
【請求項１】
中空であり、正面に、凹面があり、凹面の中央に貫通穴が形成され、凹面の裏面に、若干のスタッドが設けられ、凹面上に飾りシートが設けられ、透明カバーが、凹面上に嵌設される軸カバー本体と、
軸カバー本体内に螺着され、少なくとも一つの貫通穴が形成される重りブロックと、
軸カバー本体内に設けられ、マイクロ電気オルガンと連接板及び回路板が設けられ、連接板と回路板とが、互いに連接されて軸カバー本体に固定され、回路板上に、少なくとも一つの発光ダイオードが設けられる発光装置と、
発光装置に連結され、発光装置のマイクロ電気オルガンを収納するための収納槽が設置され、裏面に、若干の係止突出が設けられ、係止突出の内壁にコイルが係止される底座と、
が含有される、
ことを特徴とする輪軸カバー固定構造。
【請求項２】
発光装置のマイクロ電気オルガン内に、リング状に磁石が設けられ、中心に、軸棒が設けられ、連接板の裏面に、マイクロ電気オルガンの磁石内に収納されるコイルがあり、軸棒が、コイルと連接板及び回路板を貫通して、先端に、定位するための固定部材が嵌設され、また、連接板と回路板上に、それぞれ、若干の貫通穴が形成され、該回路板が、電線により連接板のコイルに連接されることを特徴とする請求項１に記載の輪軸カバー固定構造。
【請求項３】
底座の収納槽辺縁に、若干の係止突出が形成され、また、底座の各係止突出の内壁に、外側に設けられた突出体に対応する嵌設槽が設けられることを特徴とする請求項１に記載の輪軸カバー固定構造。
【考案の詳細な説明】
【技術分野】
【０００１】
本考案は、輪軸カバー固定構造に関し、特に、輪軸の外側に実装され、簡単に快速的に且つ安定的に組み立てられ、図柄を印刷でき、車輪の装飾や警告効果が得られ、走行安全性が向上される輪軸カバー固定構造に関する。
【背景技術】
【０００２】
従来の車両のホイールカバーは、車両のホイールの外側面に嵌設され、車両の外形全体性に合わせて統合されて設計され、現在のホイールの造型が、設計性を注視するため、一部の車種によれば、ホイールカバーの嵌設が不適であるが、輪軸の外側には、構造性のため、輪軸カバーが嵌設でき、これにより、機械構造の硬い感じを緩和でき、外観を装飾でき、しかしながら、常用の輪軸カバーは、螺着方式により輪軸の外側に組み立てられて固定され、また、表面に、図柄などがなく、また、図柄が合っても、独創性や視覚美観などを欠如していて、そして、表面の塗装カラーが、日照や雨或いは他の原因により、摩損や退色になり、本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００３】
本考案の主な目的は、快速的に且つ安定的に組み立てられ、独自の図柄を塗装でき、有効に、退色を防止でき、車両の側辺の装飾や警告効果が向上され、走行安全性が向上できる輪軸カバー固定構造を提供する。
【課題を解決するための手段】
【０００４】
本考案によれば、正面に、凹面があり、凹面の中央に貫通穴が形成され、凹面の裏面に、若干のスタッドが設けられ、凹面上に飾りシートが設けられ、透明カバーが、凹面上に嵌設される、中空である軸カバー本体と、軸カバー本体内に螺着され、貫通穴が設けられる重りブロックと、軸カバー本体内に設けられ、マイクロ電気オルガンと連接板及び回路板が設けられ、連接板と回路板とが、互いに連接ｓれて軸カバー本体に固定され、回路板上に、少なくとも一つの発光ダイオードが設けられる発光装置と、発光装置に連結され、発光装置のマイクロ電気オルガンを収納するための収納槽が設置され、底座の裏面に、若干の係止突出が設けられ、係止突出の内壁にコイルが係止される底座と、が含有される。
【考案を実施するための最良の形態】
【０００５】
図１、本考案は、主として、
中空であり、正面に、凹面１１があり、凹面１１の周縁に、格納落差１１０があり、凹面１１の中央に貫通穴１２が形成され、凹面１１の裏面に、若干のスタッド１３が設けられ、凹面１１上に飾りシート１４が設けられ、飾りシート１４にＬＯＧＯ等の図柄がプリントされ、透明カバー１５が、凹面１１上に嵌設される軸カバー本体１と、
軸カバー本体１内に螺着され、二つの貫通穴２１が設けられ、軸カバー本体１の対応するスタッド１３に、ネジＮで螺着されて固定される重りブロック２と、
中心において、軸棒３１１が伸ばすマイクロ電気オルガン３１と、裏面に、マイクロ電気オルガン３１内に収納されるコイル３２０があり、コイル３２０の外縁が磁石３１０の内壁面に抵当し、中央に、マイクロ電気オルガン３１の軸棒３１１が貫通するための貫通穴３２１があり、固定部材３１２により軸棒３１１の先端に嵌設され、また、上に、貫通穴３２２が設けられ、正面に設けられる連接板３２と、連接板３２に連接され、中央に貫通穴３３０が設けられ、軸カバー本体１のスタッド１３に対応する若干の貫通穴３３１が設けられ、上に、少なくとも一つの発光ダイオード３３２が設置され、連接板３２のコイル３２０に電線により連接される回路板３３と、が備えられる軸カバー本体１内に設けられる発光装置３と、
発光装置３に連結され、発光装置３のマイクロ電気オルガン３１を収納するための収納槽４１が設置され、収納槽４１の辺縁に、若干の係止突出４１０が形成され、底面に、若干の係止突出４２が形成され、係止突出４２の内壁に嵌設槽４２０が設けられ、嵌設槽４２０に対応する外側に、突出体４２１が設けられ、嵌設槽４２０にコイル５が嵌設される底座４と、が備えられる。
【０００６】
組み立てる時、図１〜３のように、まず、発光装置３のマイクロ電気オルガン３１の軸棒３１１をコイル３２０と連接板３２及び回路板３３の貫通穴３２１、３３０に貫設して、また、連接板３２の裏面のコイル３２０を、マイクロ電気オルガン３１の磁石３１０内に収納して、軸棒３１１の先端に、定位するための固定部材３１２を嵌設した後、ネジＮが、連接板３２と回路板３３の貫通穴３２２、３３１及び重りブロック２の二つの貫通穴２１に貫設されて軸カバー本体１のスタッド１３に螺着され、これにより、重りブロック２が、軸カバー本体１内の一側に配置され、そして、マイクロ電気オルガン３１を、底座４の収納槽４１内に設置し、収納槽４１の係止突出４１０によりマイクロ電気オルガン３１が係止され、更に、コイル５を係止突出４２の嵌設槽４２０内に嵌入してから、飾りシート１４を軸カバー本体１の凹面１１に設置して、透明カバー１５を固定し、透明カバー１５と軸カバー本体１とが、粘着や超音波技術により固定され、これにより、組立てが終了され、輪軸カバーを輪軸の外側に実装する時、底座４２の係止突出４２を輪軸に挿入して係止突出４２の外側にある突出体４２１が定位槽に嵌入することにより、コイル５の弾力により、輪軸カバーが、快速且つ安定的に実装される。
【０００７】
以上のように、輪軸カバーは、透明カバー１５を介して、飾りシート１４上の図柄がはっきり見られ、車両が走行間、底座４が、輪軸とともに、回転するが、軸カバー本体１が、重りブロック２の配置により、転動しなく、また、回転する底座４により、マイクロ電気オルガン３１が連動されて高速的に転動になり、固定されたコイル３２０と摩擦することにより、自動的に電流を発生し、回路板３３に対して、電源を供給し、発光ダイオード３３２が発光できるようになり、これにより、充電しなくても、自動的に発光でき、また、発光ダイオード３３２の光が、正面に位置する飾りシート１４を照射し、また、透明カバー１５を透過することにより、同時に、目立ちと警告の効果を得られる。
【０００８】
以上から分かるように、本考案によれば、次の利点が得られ、
１、本考案は、底座４２の係止突出４２の構造とコイル５の弾力抵当により、輪軸カバーの実装が、快速的かつ安定であり、
２、本考案は、飾りシート１４にあるＬＯＧＯ等の図柄により、独自の風格を創出でき、
３、本考案は、重りブロック２を軸カバー本体１内の一側に配置することにより、輪軸が回転する時、軸カバー本体１が連動することなく転動しないため、飾りシート１４は、車が走行中、回転せず固定され、飾りシート１４上の図柄がよく見えるため、格別な視覚感じが得られ、
４、本考案は、飾りシート上に、粘着や超音波技術により、透明カバー１５が固定されるため、有効に、飾りシート上の図柄の退色を防止でき、
５、本考案は、発光装置３で、自動的に発光の機能を実現するため、光が、透明カバー１５を透射することにより、装飾と警告等の効果が得られる。
【図面の簡単な説明】
【０００９】
【図１】本考案の立体分解図
【図２】本考案の組立ての立体外観図
【図３】本考案の実装する時の断面概念図
【符号の説明】
【００１０】
１        軸カバー本体
１１      凹面
１１０    落差縁
１２      貫通穴
１３      スタッド
１４      飾りシート
１５      透明カバー
２        重りブロック
２１      貫通穴
３        発光装置
３１      マイクロ電気オルガン
３１０    磁石
３１１    軸棒
３１２    固定部材
３２      連接板
３２０    コイル
３２１    貫通穴
３２２    貫通穴
３３      回路板
３３０    貫通穴
３３１    貫通穴
３３２    発光ダイオード
４        底座
４１      収納槽
４１０    係止突出
４２      係止突出
４２０    嵌設槽
４２１    突出体
５        コイル
Ｎ        ネジ
【図１】
0003142848.tif 000003
【図２】
0003142848.tif 000004
【図３】
0003142848.tif 000005
【手続補正書】
【提出日】平成20年4月23日(2008.4.23)
【手続補正１】
【補正対象書類名】実用新案登録請求の範囲
【補正対象項目名】全文
【補正方法】変更
【補正の内容】
【実用新案登録請求の範囲】
【請求項１】
中空であり、正面に、凹面があり、凹面の中央に貫通穴が形成され、凹面の裏面に、若干のスタッドが設けられ、凹面上に飾りシートが設けられ、透明カバーが、凹面上に嵌設される軸カバー本体と、軸カバー本体内に螺着され、少なくとも一つの貫通穴が形成される重りブロックと、軸カバー本体内に設けられ、マイクロ発電機と連接板及び回路板が設けられ、連接板と回路板とが、互いに連接されて軸カバー本体に固定され、回路板上に、少なくとも一つの発光ダイオードが設けられる発光装置と、発光装置に連結され、発光装置のマイクロ発電機を収納するための収納槽が設置され、裏面に、若干の係止突出が設けられ、係止突出の内壁にコイルが係止される底座と、
が含有される、
ことを特徴とする輪軸カバー固定構造。
【請求項２】
発光装置のマイクロ発電機内に、リング状に磁石が設けられ、中心に、軸棒が設けられ、連接板の裏面に、マイクロ発電機の磁石内に収納されるコイルがあり、軸棒が、コイルと連接板及び回路板を貫通して、先端に、定位するための固定部材が嵌設され、また、連接板と回路板上に、それぞれ、若干の貫通穴が形成され、該回路板が、電線により連接板のコイルに連接されることを特徴とする請求項１に記載の輪軸カバー固定構造。
【請求項３】
底座の収納槽辺縁に、若干の係止突出が形成され、また、底座の各係止突出の内壁に、外側に設けられた突出体に対応する嵌設槽が設けられることを特徴とする請求項１に記載の輪軸カバー固定構造。